(57)【特許請求の範囲】
【請求項１】
土台をなすベース部と、鏡筒またはカメラを保持するアダプタ部と、前記ベース部の底面と平行に延び、前記アダプタ部を保持するアーム部とを有する側面視でＣ字状をなし、照明光を前記標本に向けて出射する照明光学系を保持する顕微鏡本体部と、
前記顕微鏡本体部と連結し、前記照明光学系に前記照明光を射出する光源部と、
を含む第一のユニットと、
標本が載置されるステージと、
前記ステージ上の前記標本からの観察光を集光する対物レンズと、
前記対物レンズを前記ステージに対して移動可能に保持する昇降部と、
を含む第二のユニットと、
前記第二のユニットを支持するユニット支持部と、
前記第一のユニットと前記第二のユニットとが、前記照明光の光軸に対して前記対物レンズの光軸が一致した状態となるように位置決めする位置決め部材と、
を備え、
前記照明光の光軸に対して前記対物レンズの光軸を一致させた状態において、前記第一のユニットと前記第二のユニットおよび前記ユニット支持部とは非接触であることを特徴とする顕微鏡システム。
【請求項２】
前記第二のユニットは、前記照明光を集光するコンデンサを有することを特徴とする請求項１に記載の顕微鏡システム。
【請求項３】
前記第一のユニットおよび前記ユニット支持部は、底部に挿入穴を有し、
前記位置決め部材は、平板状の部材からなり、
前記挿入穴に応じた位置に配置される挿通穴と、
前記挿通穴に挿通され、前記ユニット支持部および前記第一のユニットに挿入されて該ユニット支持部および前記第一のユニットを位置決めするピンと、
を有することを特徴とする請求項１に記載の顕微鏡システム。
【請求項４】
前記位置決め部材は、
前記顕微鏡本体部を固定して位置決めする顕微鏡本体固定部と、
前記ユニット支持部を介して前記第二のユニットを固定して位置決めする焦準部固定部と、
を有することを特徴とする請求項３に記載の顕微鏡システム。
【請求項５】
前記位置決め部材は、前記第一のユニットから突出して、前記ユニット支持部の所定位置と接触することを特徴とする請求項１に記載の顕微鏡システム。
【請求項６】
前記ユニット支持部は、少なくとも一対の棒状部材を有する
ことを特徴とする請求項１〜５のいずれか一つに記載の顕微鏡システム。
【発明の詳細な説明】
【技術分野】
【０００１】
本発明は、例えば、照明光を標本に照射し、標本が透過または反射した光をもとに生成された標本像を取得する顕微鏡システムに関するものである。
【背景技術】
【０００２】
従来から、医学や生物学等の分野では、細胞等の観察に、標本を照明して観察する顕微鏡装置を有する顕微鏡システムが用いられている。また、工業分野においても、金属組織等の品質管理や、新素材の研究開発、電子デバイスや磁気ヘッドの検査等、種々の用途で顕微鏡装置が利用されている。また、標本の観察を行う顕微鏡システムとして、目視によるものの他、ＣＣＤカメラ等の撮像素子を用いて標本像を撮像し、モニタ表示する構成を有するものが知られている。
【０００３】
顕微鏡システムでは、標本の微小な領域を拡大して観察するため、多量の光を標本に射出しなければならない。そのため、顕微鏡システムでは、光源として水銀ランプやハロゲンランプが用いられている。また、観察者が机上に腕を置いて楽な姿勢で観察したり、机上でメモを取ったりすることなどから、観察者の邪魔にならないように、光源は、観察者からみて顕微鏡システムの背面に取り付けられることが多い。
【０００４】
例えば、従来の透過型の顕微鏡システム１００は、図１７に示すように、略Ｃ字状をなす顕微鏡本体部１１０と、顕微鏡本体部１１０に取り付けられ、標本Ｓを透過させるための照明光を射出するランプハウス１２０と、顕微鏡本体部１１０に取り付けられ、標本Ｓを透過した光（観察光）を鏡筒１３１またはカメラ１３２に導くアダプタ１３０と、を備える。顕微鏡本体部１１０は、土台をなすベース部１１１と、ベース部１１１の底面と略平行に延びるアーム部１１２と、ベース部１１１およびアーム部１１２の端部同士を連結するフレーム部１１３と、を有する。
【０００５】
ベース部１１１は、ランプハウス１２０と連結し、ランプハウス１２０からの照明光を標本Ｓに向けて射出する。ベース部１１１は、光源の色調や明るさを調整するためのフィルタを保持する複数のフィルタ１１４からなるフィルタ挿抜機構と、照明光を標本Ｓに向けて反射するミラー１１５とで構成される照明光学系を有し、ランプハウス１２０からの照明光を、標本Ｓ側に向けて射出する。
【０００６】
アーム部１１２は、レボルバ１１８を介して対物レンズ１１７を保持するとともに、対物レンズ１１７の光軸に沿って設けられる観察光学系を内部に有する。また、アーム部１１２に連結するアダプタ１３０は、この観察光学系から得られる観察光に対して鏡筒１３１またはカメラ１３２への光路の切り替え、もしくは５０：５０等の比率で両方に分岐を行う。
【０００７】
フレーム部１１３は、ベース部１１１から鉛直方向に延びており、標本Ｓを載置するステージ１１６を有する。また、ステージ１１６は、標本Ｓを載置するほか、ベース部１１１からの照明光を標本Ｓに集光させるレンズを有するコンデンサユニット１１９を支持している。ステージ１１６は、対物レンズ１１７の光軸に沿って上下動可能であるとともに、標本Ｓを載置する標本載置面を、この平面に平行な方向に移動することが可能である。
【０００８】
ランプハウス１２０は、光源１２１と、光源１２１から射出された光を集めるコレクタレンズ１２２と、熱線（赤外線）を吸収する熱線吸収フィルタ１２３と、を有する。
【０００９】
上述した構成によって、ランプハウス１２０から射出された照明光が標本Ｓを透過し、透過した標本Ｓからの光が、対物レンズ１１７、観察光学系を介して鏡筒１３１および／またはカメラ１３２に伝達されることで、標本Ｓの観察像を観察することができる。
【００１０】
このとき、上述した従来の顕微鏡システム１００では、標本Ｓの観察時に、ランプハウス１２０（光源１２１）で発生する熱が、顕微鏡本体部１１０のベース部１１１およびフレーム部１１３に伝導し、この熱によって顕微鏡本体部１１０が、熱膨張や、顕微鏡本体部１１０の熱分布が不均一になる。これにより、顕微鏡本体部１１０が変形し、標本Ｓを支持しているステージ１１６と、対物レンズ１１７との間の距離が数ミクロンから数十ミクロン変化する。このステージ１１６と対物レンズ１１７との間の距離の変化は、顕微鏡の極めて小さい焦点深度範囲には影響が大きく、一度調整した合焦位置が失われてしまうという問題が生じていた。
【００１１】
この問題に対して、熱によるフレーム部の伸び変形をアーム部の曲げ変形により相殺させて、ステージと対物レンズとの距離の変化を抑える技術が開示されている（例えば、特許文献１を参照）。具体的には、顕微鏡本体部のベース部、フレーム部およびアーム部をそれぞれ別体とし、締結部材を介してそれぞれが固定されてなり、ベース部とフレーム部との接触面積を所定の接触面積よりも小さく形成することで、電源および照明光学系から、フレーム部およびアーム部への熱伝導を減少させたり、フレーム部およびアーム部をそれぞれ互いに熱膨張率の異なる材料により形成したりする。
【００１２】
また、顕微鏡本体部のベース部およびフレーム部や、フレーム部およびアーム部の間の接触面積を小さくするための接触面積調整部材を備え、接触面積調整部材によりベース部からフレーム部や、アーム部からフレーム部への熱伝導を減少させることで、ステージと対物レンズとの距離の変化を抑える技術が開示されている（例えば、特許文献２を参照）。
【００１３】
さらに、図１８に示す顕微鏡システム２００のように、顕微鏡本体部１１０およびランプハウス１２０とそれぞれ連結するアダプタ１４０によって、顕微鏡本体部１１０とランプハウス１２０との間の距離を大きくし、ランプハウス１２０から顕微鏡本体部１１０への熱伝導を減少させることが挙げられる。
【先行技術文献】
【特許文献】
【００１４】
【特許文献１】特開２００１−６６５１４号公報
【特許文献２】特開２００１−６６５１５号公報
【発明の概要】
【発明が解決しようとする課題】
【００１５】
しかしながら、従来の顕微鏡システムでは、顕微鏡本体部１１０とランプハウス１２０（光源）とが直接連結しているため、ランプハウス１２０から顕微鏡本体部１１０への熱伝導は避けられず、少なからず伝導された熱によってステージと対物レンズとの距離が変化していた。これにより、調整した合焦位置が変化してしまうというおそれがあった。
【００１６】
本発明は、上記に鑑みてなされたものであり、光源からの熱伝導による合焦位置の変化を防止することができる顕微鏡システムを提供することを目的とする。
【課題を解決するための手段】
【００１７】
上述した課題を解決し、目的を達成するために、本発明にかかる顕微鏡システムは、土台をなすベース部と、鏡筒またはカメラを保持するアダプタ部と、前記ベース部の底面と平行に延び、前記アダプタ部を保持するアーム部とを有する側面視でＣ字状をなし、照明光を前記標本に向けて出射する照明光学系を保持する顕微鏡本体部と、前記顕微鏡本体部と連結し、前記照明光学系に前記照明光を射出する光源部と、を含む第一のユニットと、標本が載置されるステージと、前記ステージ上の前記標本からの観察光を集光する対物レンズと、前記対物レンズを前記ステージに対して移動可能に保持する昇降部と、を含む第二のユニットと、前記第二のユニットを支持するユニット支持部と、前記第一のユニットと前記第二のユニットとが、前記照明光の光軸に対して前記対物レンズの光軸が一致した状態となるように位置決めする位置決め部材と、を備え、前記照明光の光軸に対して前記対物レンズの光軸を一致させた状態において、前記第一のユニットと前記第二のユニットおよび前記ユニット支持部とは非接触であることを特徴とする。
【００１８】
また、本発明にかかる顕微鏡システムは、上記の発明において、前記第二のユニットは、前記照明光を集光するコンデンサを有することを特徴とする。
【００２０】
また、本発明にかかる顕微鏡システムは、上記の発明において、前記第一のユニットおよび前記第二のユニットは、底部に挿入穴を有し、前記位置決め部材は、平板状の部材からなり、前記挿入穴に応じた位置に配置される挿通穴と、前記挿通穴に挿通され、前記ユニット支持部および前記第一のユニットに挿入されて該ユニット支持部および前記第二のユニットを位置決めするピンと、を有することを特徴とする。
【００２１】
また、本発明にかかる顕微鏡システムは、上記の発明において、前記位置決め部材は、前記顕微鏡本体部を固定して位置決めする顕微鏡本体固定部と、前記ユニット支持部を介して前記第二のユニットを固定して位置決めする焦準部固定部と、を有することを特徴とする。
【００２２】
また、本発明にかかる顕微鏡システムは、上記の発明において、前記位置決め部材は、前記第一のユニットから突出して、前記ユニット支持部の所定位置と接触することを特徴とする。
また、本発明にかかる顕微鏡システムは、上記の発明において、前記ユニット支持部は、少なくとも一対の棒状部材を有することを特徴とする。
【発明の効果】
【００２３】
本発明によれば、照明光の光軸と対物レンズの光軸とが一致した状態で、光源と、ステージおよび対物レンズとが非接触、または顕微鏡本体部と焦準部との接触面積を小さくするようにしたので、光源からの熱伝導による合焦位置の変化を防止することができるという効果を奏する。
【図面の簡単な説明】
【００２４】
【図１】図１は、本発明の実施の形態１にかかる顕微鏡システムの構成を示す模式図である。
【図２】図２は、本発明の実施の形態１にかかる顕微鏡システムの構成を示す模式図である。
【図３】図３は、本発明の実施の形態１の変形例１−１にかかる顕微鏡システムの構成を示す模式図である。
【図４】図４は、本発明の実施の形態１の変形例１−２にかかる顕微鏡システムの構成を示す模式図である。
【図５】図５は、本発明の実施の形態１の変形例１−３にかかる顕微鏡システムの構成を示す模式図である。
【図６】図６は、本発明の実施の形態２にかかる顕微鏡システムの構成を示す部分断面図である。
【図７】図７は、本発明の実施の形態２にかかる顕微鏡システムの要部の構成を示す模式図である。
【図８】図８は、本発明の実施の形態２の変形例２−１にかかる顕微鏡システムの要部の構成を示す模式図である。
【図９】図９は、本発明の実施の形態３にかかる顕微鏡システムの構成を示す模式図である。
【図１０】図１０は、図９のＡ−Ａ線断面を示す断面図である。
【図１１】図１１は、本発明の実施の形態３にかかる顕微鏡システムの要部の構成を示す部分断面図である。
【図１２】図１２は、本発明の実施の形態３の変形例３−１にかかる顕微鏡システムの構成を示す断面図である。
【図１３】図１３は、本発明の実施の形態３の変形例３−１にかかる顕微鏡システムの要部の構成を示す部分断面図である。
【図１４】図１４は、本発明の実施の形態３の変形例３−２にかかる顕微鏡システムの要部の構成を示す部分断面図である。
【図１５】図１５は、本発明の実施の形態４にかかる顕微鏡システムの要部の構成を示す模式図である。
【図１６】図１６は、本発明の実施の形態４の変形例４−１にかかる顕微鏡システムの構成を示す模式図である。
【図１７】図１７は、従来の顕微鏡システムの構成を示す模式図である。
【図１８】図１８は、従来の顕微鏡システムの構成を示す模式図である。
【発明を実施するための形態】
【００２５】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００２６】
（実施の形態１）
まず、本実施の形態１にかかる顕微鏡システム１について、図面を参照して詳細に説明する。図１，２は、本実施の形態１にかかる顕微鏡システム１の構成を示す模式図である。本実施の形態１では、透過型の正立顕微鏡を例に説明する。
【００２７】
顕微鏡システム１は、側面視で略Ｃ字状をなす顕微鏡本体部１０と、顕微鏡本体部１０に取り付けられ、標本Ｓを透過させるための照明光を射出するランプハウス２０（光源部）と、顕微鏡本体部１０に取り付けられ、標本Ｓを透過した光（観察光）を鏡筒３１またはカメラ３２に導くアダプタ３０と、標本Ｓを保持し、焦準を合わせる焦準部４０と、を備える。
【００２８】
顕微鏡本体部１０は、土台をなすベース部１１と、ベース部１１の底面と略平行に延びるアーム部１２と、ベース部１１とアーム部１２との端部同士を連結するフレーム部１３と、を有する。
【００２９】
ベース部１１は、ランプハウス２０と連結し、ランプハウス２０からの照明光を標本Ｓに向けて射出する。ベース部１１は、光源の色調や明るさを調整するための複数のフィルタ１４を挿抜可能に保持するフィルタ挿抜機構と、照明光を標本Ｓに向けて反射するミラー１５とで構成される照明光学系を有する。また、ベース部１１は、ランプハウス２０からの照明光を標本Ｓに集光させるコンデンサを有するコンデンサユニット１６を支持している。
【００３０】
アーム部１２は、対物レンズ４３の光軸に沿って設けられる観察光学系を内部に有する。また、アーム部１２に連結するアダプタ３０は、この観察光学系から得られる観察光に対して鏡筒３１またはカメラ３２への光路の切り替え、もしくは５０：５０等の比率で両方に分岐を行う。また、鏡筒３１には、標本Ｓの標本像を目視観察するための接眼レンズが取り付けられている。
【００３１】
フレーム部１３は、ベース部１１の板面から鉛直方向に延びている。また、フレーム部１３は、顕微鏡システム１に対して電源供給を行う電源基板１３ａを有する。
【００３２】
ランプハウス２０は、光源２１と、光源２１から射出された光を集めるコレクタレンズ２２と、熱線（赤外線）を吸収する熱線吸収フィルタ２３と、を有する。
【００３３】
焦準部４０は、標本Ｓを載置するステージ４１と、内部底面においてステージ４１を保持する略Ｃ字状をなす焦準ホルダ４２と、レボルバ４４を介して、焦準ホルダ４２のステージ４１の保持面に対向する面側に取り付けられる対物レンズ４３と、焦準ホルダ４２のステージ４１保持面の裏面から突出して設けられる４つの支持部材４５と、を有する。
【００３４】
ここで、ステージ４１には、標本Ｓを載置する標本載置面をＸＹ平面とみたときに、ステージ４１をＸ方向およびＹ方向にそれぞれ独立して移動させるステージ移動機構が設けられていることが好ましい。
【００３５】
焦準ホルダ４２は、対物レンズ４３を保持し、ステージ４１の標本Ｓの標本載置面に対して直交する方向に移動可能な昇降部４２１と、昇降部４２１の移動量を入力する入力部４２２と、を有する。対物レンズ４３は、昇降部４２１によって、自身の光軸に沿って上下動可能となる。
【００３６】
入力部４２２は、例えばラックアンドピニオンによって実現される動力伝達機構と連結したダイアルであって、このダイアル（ピニオン）の回転量を、動力伝達機構を介して対物レンズ４３の移動量として入力する。このとき、ラックは、昇降部４２１と連結している、または昇降部４２１に設けられている。
【００３７】
対物レンズ４３は、たとえば１倍，２倍，４倍の比較的倍率の低い対物レンズ（以下、「低倍対物レンズ」という）と、１０倍，２０倍，４０倍の低倍対物レンズの倍率に対して高倍率である対物レンズ（以下、「高倍対物レンズ」という）とを少なくとも一つずつレボルバ４４に装着させる。なお、低倍対物レンズおよび高倍対物レンズの倍率は一例であり、高倍対物レンズが低倍対物レンズに対して高ければよい。
【００３８】
レボルバ４４は、焦準ホルダ４２に対してスライド自在または回転自在に設けられ、対物レンズ４３を標本Ｓの上方に配置する。レボルバ４４は、電動レボルバ等を用いて構成される。レボルバ４４は、マウンタによって倍率（観察倍率）が異なる複数の対物レンズ４３を保持し、観察光の光路上に挿入されて標本Ｓの観察に用いる対物レンズ４３を択一的に切り替える。
【００３９】
また、コンデンサユニット１６は、ベース部１１に設けられ、入力部４２２と同様の構成をなし、動力伝達機構に連結された入力部１１ａによって開口数の調整が行われる。
【００４０】
上述した構成によって、ランプハウス２０から射出された照明光が標本Ｓを透過し、透過した標本Ｓからの光が、対物レンズ４３、観察光学系を介して鏡筒３１および／またはカメラ３２に伝達されることで、標本Ｓの観察像を観察することができる。
【００４１】
ここで、顕微鏡本体部１０と焦準部４０とは、図１，２に示すように、互いに挿脱可能となっている。また、図１に示すように、顕微鏡本体部１０に対して焦準部４０が挿入され、ランプハウス２０から射出されてミラー１５によって反射された照明光の光軸と対物レンズ４３の光軸とが一致した状態においては、顕微鏡本体部１０と焦準部４０とが接触しないように配設される。
【００４２】
すなわち、顕微鏡本体部１０に対して焦準部４０が挿入され、ランプハウス２０から射出されてミラー１５によって反射された照明光の光軸と対物レンズ４３の光軸とが一致した状態では、顕微鏡本体部１０のランプハウス２０と、焦準部４０とが接触しないため、ランプハウス２０の光源２１から発生した熱が、ステージ４１および対物レンズ４３に直接伝達しない。これにより、光源２１からの熱伝導によるステージ４１と対物レンズ４３との間の合焦位置の変化を防止することが可能となる。
【００４３】
上述した本実施の形態１によれば、ランプハウス２０から射出されてミラー１５によって反射された照明光の光軸と対物レンズ４３の光軸とが一致した状態で、光源２１と、ステージ４１および対物レンズ４３とが非接触となるようにしたので、ランプハウス２０の光源２１から発生した熱が、ステージ４１および対物レンズ４３に直接伝達しないため、ステージ４１および対物レンズ４３の熱による伸縮などの熱変形を抑制して、光源からの熱伝導による合焦位置の変化を防止することができる。
【００４４】
また、本実施の形態１では、ステージ４１および対物レンズ４３と、顕微鏡本体部１０が有するフィルタ１４、コンデンサユニット１６およびアダプタ３０等とが別体（非接触）であるため、フィルタ１４の挿抜、コンデンサユニット１６の切り替えや、アダプタ３０の光路切り替え等により振動が生じた場合であっても、ステージ４１および対物レンズ４３にこの振動が伝達することがないため、振動の影響を抑制して標本Ｓの観察を行うことができる。
【００４５】
図３は、本実施の形態１の変形例１−１にかかる顕微鏡システム１ａの構成を示す模式図である。図３に示す変形例１−１にかかる焦準部４０ａのように、図１，２に示す焦準部４０に対し、焦準ホルダ４２ａが、コンデンサユニット１６に対応するコンデンサユニット４６を保持するものであってもよい。また、顕微鏡本体部１０ａは、ランプハウス２０と連結し、これにより、コンデンサユニット４６に対しても、ベース部１１ｂを介する光源２１からの熱伝達を抑制することができる。なお、コンデンサユニット４６は、入力部１１ａと同様の構成を有する入力部４６ａによって開口数の調整が行われる。
【００４６】
図４は、本実施の形態１の変形例１−２にかかる顕微鏡システム１ｂの構成を示す模式図である。図４に示す変形例１−２にかかる顕微鏡システム１ｂは、図１，２に示す顕微鏡システム１の構成に加え、少なくともステージ４１（標本Ｓ）、対物レンズ４３を覆う保温箱５１と、保温箱５１内の温度調整を行う温度調整部５２と、保温箱５１と温度調整部５２とを連結し、調整された温度の気体を輸送するパイプ５３と、を有する保温ユニット５０を備える。
【００４７】
また、保温箱５１は、ステージ４１上の標本Ｓを交換する際に開閉する開閉扉５１ａを有する。また、保温箱５１には、開閉扉５１ａのほか、支持部材４５等を挿通させるための挿通孔（図示せず）が設けられ、挿通孔の径は、支持部材４５の径と同等であって、調整された温度の気体が孔から漏れないようになっている。なお、照明光、標本Ｓが透過した観察光を挿通させる挿通孔に対しては、光束の径に応じて設けられた挿通孔をガラス等によって塞ぐことで適用可能である。
【００４８】
このとき、保温箱５１は、顕微鏡本体部１０と非接触となるように配設されている。これにより、光源２１からの熱が保温箱５１にも伝達しないため、光源２１からの熱の影響を受けずに、安定した温度調整を行うことが可能となる。
【００４９】
図５は、本実施の形態１の変形例１−３にかかる顕微鏡システム１ｃの構成を示す模式図である。上述した図１，２に示す顕微鏡システム１は、透過型の正立顕微鏡であるものとして説明したが、図５に示す変形例１−３にかかる顕微鏡システム１ｃのように、落射型の正立顕微鏡であってもよい。
【００５０】
顕微鏡システム１ｃは、略Ｃ字状をなす顕微鏡本体部１０ｂと、顕微鏡本体部１０ｂに取り付けられ、標本Ｓを照明するための照明光を射出するランプハウス２０ａと、顕微鏡本体部１０ｂに取り付けられ、標本Ｓを透過した光（観察光）を鏡筒３１またはカメラ３２に導くアダプタ３０と、標本Ｓを保持し、焦準を合わせる焦準部４０と、を備える。ランプハウス２０ａは、上述したランプハウス２０と同様、光源２１ａと、光源２１ａから射出された光を集めるコレクタレンズ２２ａと、熱線（赤外線）を吸収する熱線吸収フィルタ２３ａと、を有する。
【００５１】
顕微鏡本体部１０ｂは、土台をなす略平板状のベース部１１ｃと、ベース部１１ｃの底面と略平行に延び、ランプハウス２０ａおよびアダプタ３０とそれぞれ連結するアーム部１２ａと、ベース部１１ｃとアーム部１２ａとの端部同士を連結するフレーム部１３ｂと、を有する。フレーム部１３ｂは、顕微鏡システム１ｃに対して電源供給を行う電源基板１３ｃを有する。
【００５２】
アーム部１２ａは、ランプハウス２０ａからの照明光を標本Ｓに向けて射出する。アーム部１２ａは、ランプハウス２０ａから射出される落射用の照明光を、光源の色調や明るさを調整するためのフィルタを保持する複数のフィルタ１４ａを介して通過させるとともに、キューブユニット１７によって、標本Ｓに向けて照明光を反射する。なお、ランプハウス２０ａから射出された（キューブユニット１７によって反射された）照明光の光軸は、対物レンズ４３の光軸と一致している。キューブユニット１７は、複数のキューブ１７ａを有し、各キューブ１７ａを検鏡法に応じて選択的に光路上に配置させる。
【００５３】
キューブ１７ａは、所定波長の光を反射するとともに、標本Ｓが発した光のうち、所定波長の光を透過するダイクロイックミラー１７１と、ダイクロイックミラー１７１によって反射させる励起波長に対応した光をランプハウス２０ａから射出された出射光から抽出する励起フィルタ１７２と、標本Ｓが発した光から所望の波長の光を抽出する吸収フィルタ１７３と、を有する。ここで、複数のキューブ１７ａの各ダイクロイックミラー１７１は、所定の励起波長にそれぞれ対応する波長の光を反射し、標本Ｓから発せられる所定波長の光を透過する。
【００５４】
このキューブ１７ａによって、ランプハウス２０ａからの照明光の標本Ｓ側への切り替え（反射）、または標本Ｓからの光（観察光）のアダプタ３０側への切り替え（透過）を行うことで、光路の切り替えを行うことができる。
【００５５】
（実施の形態２）
図６は、本実施の形態２にかかる顕微鏡システム２の構成を示す部分断面図である。なお、図１等で上述したものと同じ構成要素には同じ符号を付してある。顕微鏡システム２は、略Ｃ字状をなす顕微鏡本体部１０ｃと、顕微鏡本体部１０ｃに取り付けられ、標本Ｓを透過させるための照明光を射出するランプハウス２０と、顕微鏡本体部１０ｃに取り付けられ、標本Ｓを透過した光（観察光）を鏡筒３１またはカメラ３２に導くアダプタ３０と、標本Ｓを保持し、焦準を合わせる焦準部４０ｂと、を備える。また、本実施の形態２では、顕微鏡本体部１０ｃおよび焦準部４０ｂが、位置決め部材６０（図７参照）上に固定されている。
【００５６】
顕微鏡本体部１０ｃは、土台をなす略平板状のベース部１１ｄと、ベース部１１ｄの底面と略平行に延びる上述したアーム部１２と、ベース部１１ｄとアーム部１２との端部同士を連結するフレーム部１３と、を有する。
【００５７】
ベース部１１ｄは、ランプハウス２０と連結し、ランプハウス２０からの照明光を標本Ｓに向けて射出する。また、ベース部１１ｄは、上述した複数のフィルタ１４からなるフィルタ挿抜機構、ミラー１５とで構成される照明光学系およびコンデンサユニット１６を有する。また、ベース部１１ｄには、ボルトＢ（ピン）が挿入されるボルト穴１１ｅ（挿入穴）が形成されている。
【００５８】
焦準部４０ｂは、上述したステージ４１、焦準ホルダ４２、対物レンズ４３と、焦準ホルダ４２のステージ保持面の裏面から突出して設けられる４つの支持部材４５ａと、を有する。また、各支持部材４５ａには、ボルトＢが挿入されるボルト穴４５１（挿入穴）が形成されている。
【００５９】
図７は、顕微鏡システム２の位置決め部材６０の構成を示す模式図である。位置決め部材６０は、顕微鏡システム２が載置される除振台等の載置面Ｐ上に固定され、ベース部１１ｄと連結して顕微鏡本体部１０ｃを固定する顕微鏡本体固定部６１と、支持部材４５ａと連結して焦準部４０ｂを固定する焦準部固定部６２と、を有する。なお、位置決め部材６０は、断熱性材料（熱伝導の小さい材料）で形成されることが好ましい。
【００６０】
顕微鏡本体固定部６１には、ボルト穴１１ｅに対応した配置で設けられるボルト穴６１１（挿通穴）と、載置面Ｐに形成されたボルト穴Ｐ１に対応した配置で設けられるボルト穴６１２と、が形成されている。
【００６１】
焦準部固定部６２は、第１焦準部固定部６２ａおよび第２焦準部固定部６２ｂからなり、第１焦準部固定部６２ａおよび第２焦準部固定部６２ｂが顕微鏡本体固定部６１の側部にそれぞれ配置されている。第１焦準部固定部６２ａおよび第２焦準部固定部６２ｂには、ボルト穴４５１に対応した配置で設けられるボルト穴６２１（挿通穴）と、載置面Ｐに形成されたボルト穴Ｐ２に対応した配置で設けられるボルト穴６２２と、がそれぞれ形成されている。
【００６２】
顕微鏡本体部１０ｃは、ボルト穴１１ｅと、顕微鏡本体固定部６１に設けられたボルト穴６１１とがボルトＢを介して固定される。焦準部４０ｂは、ボルト穴４５１と、焦準部固定部６２に設けられたボルト穴６２１とがボルトＢを介して固定される。
【００６３】
また、顕微鏡本体固定部６１と焦準部固定部６２とは、載置面Ｐに設けられたボルト穴Ｐ１，Ｐ２と、ボルト穴６１２，６２２とがそれぞれボルトＢを介して固定されることによって、互いに位置決めされる。この位置決めによって、顕微鏡本体部１０ｃと焦準部４０ｂとの相対位置が決定される。
【００６４】
上述した本実施の形態２によれば、ランプハウス２０から射出されてミラー１５によって反射された照明光の光軸と対物レンズ４３の光軸とが一致した状態で、光源２１と、ステージ４１および対物レンズ４３とが非接触となるようにしたので、ランプハウス２０の光源２１から発生した熱のステージ４１および対物レンズ４３への伝達を抑制し、光源からの熱伝導による合焦位置の変化を防止することができる。
【００６５】
また、本実施の形態２では、位置決め部材６０によって、顕微鏡本体部１０ｃと焦準部４０ｂとの相対位置を決定して固定するため、ランプハウス２０から射出されてミラー１５によって反射された照明光および標本Ｓからの観察光の光軸と、対物レンズ４３の光軸とを確実に一致させることができる。
【００６６】
なお、上述した本実施の形態２では、ボルトがボルト穴に螺合されることによって顕微鏡本体部１０ｃと焦準部４０ｂとを固定して位置決めするものとして説明したが、挿通穴としてピンを挿通し、顕微鏡本体部１０ｃおよび焦準部４０ｂにそれぞれ設けられた挿入穴に挿入されるピンであってもよい。
【００６７】
図８は、本実施の形態２の変形例２−１にかかる位置決め部材６０ａの構成を示す模式図である。図８に示す変形例２−１のように、図７に示す位置決め部材６０に対して顕微鏡本体固定部６１と焦準部固定部６２とが一体的なものであってもよい。
【００６８】
位置決め部材６０ａは、略平板状をなし、上述したボルト穴６１１，６２１に対応して形成されたボルト穴６１１ａ，６２１ａと、ボルトＢを挿通して載置面Ｐに連結するボルト穴６３１と、を有する。なお、ボルト穴６１１ａ，６２１ａは、ランプハウス２０から射出されてミラー１５によって反射された照明光の光軸と、焦準部４０ｂの対物レンズ43の光軸とを一致させた場合の、顕微鏡本体固定部６１および焦準部固定部６２のボルト穴６１１，６２１の配置と対応付いている。また、位置決め部材６０ａは、断熱性材料（熱伝導の小さい材料）で形成されることが好ましい。
【００６９】
（実施の形態３）
図９は、本実施の形態３にかかる顕微鏡システム３の構成を示す模式図である。なお、図１等で上述したものと同じ構成要素には同じ符号を付してある。顕微鏡システム３は、略Ｃ字状をなす顕微鏡本体部１０ｄと、顕微鏡本体部１０ｄに取り付けられ、標本Ｓを透過させるための照明光を射出するランプハウス２０と、顕微鏡本体部１０ｄに取り付けられ、標本Ｓを透過した光（観察光）を鏡筒３１またはカメラ３２に導くアダプタ３０と、標本Ｓを保持し、焦準を合わせる焦準部４０と、を備える。
【００７０】
顕微鏡本体部１０ｄは、土台をなす略平板状のベース部１１ｆと、ベース部１１ｆの底面と略平行に延びる上述したアーム部１２と、ベース部１１ｆとアーム部１２との端部同士を連結するフレーム部１３と、を有する。
【００７１】
ベース部１１ｆは、ランプハウス２０と連結し、ランプハウス２０からの照明光を標本Ｓに向けて射出する。また、ベース部１１ｆは、上述した複数のフィルタ１４からなるフィルタ挿抜機構、ミラー１５とで構成される照明光学系およびコンデンサユニット１６と、ベース部１１ｆの側面からそれぞれ突出する略棒状のスタッド１８（位置決め部材）と、有する。
【００７２】
図１０は、図９のＡ−Ａ線断面を示す断面図である。図１１は、顕微鏡システム３のスタッド１８の構成を示す部分断面図である。図１０に示すように、各スタッド１８は、ベース部１１ｆの側面から突出して、支持部材４５の所定位置でそれぞれ接触している。また、図１１に示すように、各スタッド１８は、一方の端部からスタッド１８が延びる方向に突出する突出端部１８１を有し、突出端部１８１が、ベース部１１ｆに形成されたガイド穴１１ｇと嵌合することによって固定されている。なお、スタッド１８は、断熱性材料（熱伝導の小さい材料）で形成されることが好ましい。
【００７３】
顕微鏡本体部１０ｄと焦準部４０とは、４つのスタッド１８が支持部材４５の所定位置でそれぞれ接触した状態で相対位置を決定される。これにより、顕微鏡本体部１０ｄと焦準部４０との位置決めを行うことができる。このとき、顕微鏡本体部１０ｄと焦準部４０との接触面積は、従来の顕微鏡における光源と、ステージおよび対物レンズとの接触面積と比して小さい。
【００７４】
上述した本実施の形態３によれば、ランプハウス２０から射出されてミラー１５によって反射された照明光の光軸と対物レンズ４３の光軸とが一致した状態で、顕微鏡本体部１０ｄと焦準部４０との接触面積を小さくするようにしたので、ランプハウス２０の光源２１から発生した熱のステージ４１および対物レンズ４３への伝達を抑制し、光源からの熱伝導による合焦位置の変化を防止することができる。
【００７５】
また、本実施の形態３では、ベース部１１ｆのスタッド１８によって、顕微鏡本体部１０ｄと焦準部４０との相対位置を決定するため、ランプハウス２０から射出された照明光および標本Ｓからの観察光の光軸と、対物レンズ４３の光軸とを確実に一致させることができる。また、上述した実施の形態２と比して、顕微鏡本体部１０ｄと焦準部４０との位置決めを簡易に行うことができるとともに、着脱も容易となる。この構成においても、光源２１と、ステージ４１および対物レンズ４３とを非接触状態とすることができる。
【００７６】
なお、スタッド１８の配設位置は、顕微鏡本体部１０ｄと焦準部４０との相対位置の決定が可能であれば、ベース部１１ｆの他の箇所に設けられるものであってもよいし、フレーム部１３に設けられるものであってもよい。
【００７７】
図１２は、図９のＡ−Ａ線断面に対応し、本実施の形態３の変形例３−１にかかるスタッド１９の構成を示す断面図である。図１３は、本実施の形態３の変形例３−１にかかるスタッド１９の構成を示す部分断面図である。図１２に示すように、２つのスタッド１９（位置決め部材）は、ベース部１１ｆの側面から突出する棒状の突出部１９１と、突出部１９１のベース部１１ｆとの連結側と異なる側の端部に設けられ、支持部材４５と接触する接触部１９２とを有する。また、図１３に示すように、突出部１９１は、接触部１９２との連結側と異なる側の端部からスタッド１９が延びる方向に突出する突出端部１９１ａを有し、突出端部１９１ａがベース部１１ｆに形成されたガイド穴１１ｇと嵌合することによって固定されている。なお、接触部１９２は、突出部１９１に対して、外周面に沿って摺動自在である。
【００７８】
接触部１９２は、支持部材４５の外周形状に対応した弧状をなし、この弧状の内部側面から突出して凸状をなす複数の凸部１９２ａを有する。この凸部１９２ａがそれぞれ支持部材４５の側面と接触することによって支持部材４５（焦準部４０）に対するベース部１１ｆ（顕微鏡本体部）の位置を決定する。
【００７９】
図１４は、本実施の形態３の変形例３−２にかかるスタッド７０の構成を示す部分断面図である。図１４に示すように、スタッド７０は、ベース部１１ｆの側面から突出する棒状の突出部７１と、突出部７１のベース部１１ｆとの連結側と異なる側の端部側で連結し、支持部材４５の側面の一部を覆う被覆部７２とを有する。また、突出部７１は、中空の内部空間を形成する中空部７１ａと、被覆部７２との連結側と異なる側の端部から突出部７１が延びる方向に突出する突出端部７１ｂとを有し、突出端部７１ｂがベース部１１ｆに形成されたガイド穴１１ｇと螺合することによって固定されている。
【００８０】
被覆部７２は、支持部材４５の外周を覆う略円環状をなし、外周側面から突出して中空部７１ａと嵌合する嵌合部材７２ａを有する。この嵌合部材７２ａは、突出部７１の中空部７１ａの内部空間に挿通されて嵌合する。これにより、突出部７１と被覆部７２とが連結するとともに、突出部７１の回転によって突出端部７１ｂがガイド穴１１ｇと螺合して内部に対して進退することで、支持部材４５とベース部１１ｆとの間の距離を伸縮して、支持部材４５とベース部１１ｆとの相対位置を調整することによって支持部材４５（焦準部４０）に対するベース部１１ｆ（顕微鏡本体部）の位置を決定する。なお、被覆部７２は、支持部材４５の外周面に沿って摺動自在である。なお、スタッド７０は、顕微鏡本体部と焦準部との相対位置決定後、顕微鏡本体部から取り外してもよい。
【００８１】
（実施の形態４）
図１５は、本実施の形態４にかかる顕微鏡システム４の構成を示す模式図である。なお、図１等で上述したものと同じ構成要素には同じ符号を付してある。上述した図１〜１４に示す顕微鏡システムは、正立顕微鏡であるものとして説明したが、倒立顕微鏡であってもよい。顕微鏡システム４は、倒立型の顕微鏡であって、略Ｃ字状をなす顕微鏡本体部１０ｅと、顕微鏡本体部１０ｅに取り付けられ、標本Ｓを透過させるための照明光を射出する透過照明用ランプハウス２０ｂと、標本Ｓに対して落射するための照明光を射出する落射照明用ランプハウス２０ｃと、顕微鏡本体部１０ｅに取り付けられ、標本Ｓを透過した光（観察光）を鏡筒３１に導くアダプタ３０ａと、標本Ｓを保持し、焦準を合わせる焦準部４０ｃと、を備える。
【００８２】
顕微鏡本体部１０ｅは、土台をなす略平板状のベース部１１ｈと、ベース部１１ｈの底面と略平行に延びるアーム部８０ａと、コンデンサユニット１６を支持し、ベース部１１ｈとアーム部８０ａとの端部同士を連結するフレーム部１３ｄと、を有する。
【００８３】
ベース部１１ｈは、顕微鏡システム４に対して電源供給を行う電源基板１１ｉと、落射照明用ランプハウス２０ｃからの照明光を標本Ｓに向けて射出する落射投光管８０ｂと、を有する。また、ベース部１１ｈは、アダプタ３０ａを支持するとともに、落射投光管８０ｂを介して落射照明用ランプハウス２０ｃを支持する。
【００８４】
アーム部８０ａは、透過照明用ランプハウス２０ｂと連結し、透過照明用ランプハウス２０ｂからの照明光を標本Ｓに向けて射出する。
【００８５】
落射投光管８０ｂは、上述したキューブユニット１７を有する。このキューブユニット１７の各キューブ１７ａによって、落射照明用ランプハウス２０ｃからの照明光の標本Ｓ側への切り替え（反射）、または標本Ｓからの光（観察光）のアダプタ３０ａ側への切り替え（透過）を行うことで、光路の切り替えを行うことができる。
【００８６】
透過照明用ランプハウス２０ｂは、光源２１ｂと、光源２１ｂから射出された光を集めるコレクタレンズ２２ｂと、熱線（赤外線）を吸収する熱線吸収フィルタ２３ｂと、を有する。
【００８７】
落射照明用ランプハウス２０ｃは、光源２１ｃと、光源２１ｃから射出された光を集めるコレクタレンズ２２ｃと、熱線（赤外線）を吸収する熱線吸収フィルタ２３ｃと、を有する。
【００８８】
焦準部４０ｃは、標本Ｓを載置するステージ４１ａと、ステージ４１ａを保持する略板状をなす焦準ホルダ４２ｂと、レボルバ４４ａを介して、焦準ホルダ４２ｂのステージ４１ａの保持面の裏面側に取り付けられる対物レンズ４３と、焦準ホルダ４２ｂのステージ保持面の裏面から突出して設けられる４つの支持部材４５ｂと、を有する。
【００８９】
ここで、顕微鏡本体部１０ｅに対して焦準部４０ｃが配設された場合、アーム部８０ａが射出する透過用の照明光の光軸と、コンデンサユニット１６の光軸と、対物レンズ４３の光軸と、落射投光管８０ｂが射出する落射用の照明光の光軸とは、直線状の軸と一致する。すなわち、上述した光軸は、一つの軸と一致する。
【００９０】
上述した本実施の形態４によれば、照明光の光軸と対物レンズ４３の光軸とが一致した状態で、光源２１ｂ，２１ｃと、ステージ４１ａおよび対物レンズ４３とが非接触となるようにしたので、各ランプハウスの光源から発生した熱が、ステージ４１ａおよび対物レンズ４３に直接伝達せず、光源からの熱伝導による合焦位置の変化を防止することができる。
【００９１】
図１６は、本実施の形態４の変形例４−１にかかる顕微鏡システム４ａの構成を示す模式図である。図１６に示す変形例４−１にかかる顕微鏡システム４ａは、図１５に示す顕微鏡システム４の構成に加え、少なくともステージ４１ａ（標本Ｓ）、対物レンズ４３を覆う保温箱５１ａと、保温箱５１ａ内の温度調整を行う温度調整部５２ａと、保温箱５１ａと温度調整部５２ａとを連結し、調整された温度の気体を輸送するパイプ５３ａと、を有する保温ユニット５０ａを備える。なお、保温ユニット５０ａは、上述した保温ユニット５０と同様の構成および機能を有する。
【００９２】
なお、上述した実施の形態１〜４および各実施の形態にかかる変形例は、適宜組合せ可能である。例えば、実施の形態２〜４において、図３に示す変形例１−１のように、焦準部が、コンデンサを有する構成を適用することが可能である。
【００９３】
以上のように、本発明にかかる顕微鏡システムは、光源からの熱伝導による合焦位置の変化を防止することに有用である。
【符号の説明】
【００９４】
１ａ，１ｂ，１ｃ，２，３，４，４ａ，１００  顕微鏡システム
１０，１０ａ，１０ｂ，１０ｃ，１０ｄ，１０ｅ，１１０  顕微鏡本体部
１１，１１ｂ，１１ｃ，１１ｄ，１１ｆ，１１ｈ，１１１  ベース部
１１ａ，４２２  入力部
１１ｅ，４５１，６１１，６１１ａ，６１２，６２１，６２１ａ，６２２，６３１，Ｓ１，Ｓ２  ボルト穴
１１ｇ  ガイド穴
１２，１１２  アーム部
１３，１３ｂ，１３ｄ，１１３  フレーム部
１３ａ，１３ｃ  電源基板
１４，１１４  フィルタ
１５，１１５  ミラー
１６，１１９  コンデンサユニット
１７  キューブユニット
１７ａ  キューブ
１８，１９  スタッド
２０，２０ａ，１２０  ランプハウス
２０ｂ  透過照明用ランプハウス
２０ｃ  落射照明用ランプハウス
２１，１２１  光源
２２，１２２  コレクタレンズ
２３，１２３  熱線吸収フィルタ
３０，１３０  アダプタ
３１，１３１  鏡筒
３２，１３２  カメラ
４０，４０ａ  焦準部
４１，１１６  ステージ
４２，４２ａ  焦準ホルダ
４３，１１７  対物レンズ
４４，１１８  レボルバ
４５，４５ａ  支持部材
５０，５０ａ  保温ユニット
５１，５１ａ  保温箱
５２，５２ａ  温度調整部
５３，５３ａ  パイプ
６０，６０ａ  位置決め部材
６１  顕微鏡本体固定部
６２  焦準部固定部
１７１  ダイクロイックミラー
１７２  励起フィルタ
１７３  吸収フィルタ
４２１  昇降部
【図１】
0005959181.tif 000002
【図２】
0005959181.tif 000003
【図３】
0005959181.tif 000004
【図４】
0005959181.tif 000005
【図５】
0005959181.tif 000006
【図６】
0005959181.tif 000007
【図７】
0005959181.tif 000008
【図８】
0005959181.tif 000009
【図９】
0005959181.tif 000010
【図１０】
0005959181.tif 000011
【図１１】
0005959181.tif 000012
【図１２】
0005959181.tif 000013
【図１３】
0005959181.tif 000014
【図１４】
0005959181.tif 000015
【図１５】
0005959181.tif 000016
【図１６】
0005959181.tif 000017
【図１７】
0005959181.tif 000018
【図１８】
0005959181.tif 000019